(57)【要約】【課題】筆記時のレフィル後端開口部からの十分な空気の取り込みが可能とし、、しかも、レフィル交換時のレフィルの容易な取り外しができ、さらに、レフィルのリターン衝撃時の十分なインキ漏出防止を可能とする。【解決手段】回転カム部材４の前面に、インキ収容管３２の後端開口部内に挿入される突出部５と、インキ収容管３２の後端に当接する当接部６とを設ける。突出部５の外面に、インキ収容管３２の後端開口部の内周縁部に圧接する傾斜面状の圧接部５１を設ける。圧接部５１より前方の突出部５の外面とインキ収容管３２の内面とを非接触にする。圧接部５１に切欠部５１ａを前後方向に設ける。切欠部５１ａと連通する凹部６１を当接部６に設ける。切欠部５１ａ及び凹部６１により、回転カム部材４とインキ収容管３２との間に空気通路９を形成する。【選択図】　図２
2004017397.tif 000002
【特許請求の範囲】
【請求項１】
ペン先と該ペン先を先端に備えたインキ収容管とからなるレフィルを、後方付勢状態で前後移動可能に軸筒内に収容し、出没機構を構成する回転カム部材を前記インキ収容管の後端に当接させ、軸筒後端のノック部を前方へ押圧することにより、前記回転カム部材を前方に移動させ且つ回転させ、軸筒の先端孔からレフィルのペン先を突出可能に構成したノック式ボールペンであって、前記回転カム部材の前面に、インキ収容管の後端開口部内に挿入される突出部と、インキ収容管の後端に当接する当接部とを設け、前記突出部の外面に、インキ収容管の後端開口部の内周縁部に圧接する傾斜面状の圧接部を設け、前記圧接部より前方の突出部の外面とインキ収容管の内面とを非接触にし、前記圧接部に切欠部を前後方向に設け、前記切欠部と連通する凹部を前記当接部に設け、回転カム部材をインキ収容管の後端に当接させた際、前記切欠部及び前記凹部により、回転カム部材とインキ収容管の後端部との間にインキ収容管の内部と外部とを連通させる空気通路を形成したことを特徴するノック式ボールペン。
【請求項２】
インキ収容管の内部に、水性インキと、該水性インキの消費に伴い前進する高粘度流体よりなる追従体とを充填してなる請求項１記載のノック式ボールペン。
【発明の詳細な説明】
【０００１】
【発明の属する技術分野】
本発明は、ノック式ボールペンに関する。詳細には、軸筒後端のノック部を前方へ押圧することにより、回転カム部材を前方に移動させ且つ回転させ、軸筒の先端孔からレフィルのペン先を突出可能に構成したノック式ボールペンに関する。尚、本発明で「前」とはペン先側を示し、「後」とはその反対側を示す。
【０００２】
【従来の技術】
従来、この種のノック式ボールペンにおいて、例えば、特開平８−１１２９９２号公報には、外周面にリブを備えた内部材を、レフィルの貫通孔内（本発明のインキ収容管の後端開口部内）に挿入する構成の油性ボールペンのレフィル保持具（本発明の回転カム部材）が開示されている。
【０００３】
前記従来の構成は、内部材のリブ間に空気通路を形成する構成であるため、リブの高さが低い場合、内部材がレフィルの内面に圧入されると、内部材のリブがレフィルの内面に食いついて、内部材の外面とレフィルの内面との間の空気通路が潰れて小さくなり、インキ消費に伴う十分な量の空気を確実にインキ収容管内に取り込むことができないおそれがある。
【０００４】
また、前記従来の構成は、内部材の外面とレフィルの内面とが圧入される場合、レフィルとレフィル保持具が不用意に分離することはないとしても、レフィルを交換する際、レフィルを容易に取り出すことができないおそれがあり、レフィルの交換が不便となる。
【０００５】
さらに、前記従来の構成は、リブとリブの間に空気通路を形成する構成のため、内部材の外周面とレフィルの内周面との間に複数の空気通路が周状に分散されて形成され、空気通路全体の開口量が必要以上に大きくなりがちであり、逆流インキが、内部材の外面とレフィルの内面との間の空気通路を容易に通過し外部に漏出するおそれがあり、内部材によるインキ漏出防止の効果は小さい。特に、前記従来の構成は、レフィル内に油性インキを充填したタイプであるが、レフィル内に前記油性インキに代えて水性インキ及び高粘度流体よりなる追従体を充填した場合に、ペン先を軸筒内に収納させるときにレフィルを後方に勢いよくリターンさせると、その衝撃により水性インキ及び追従体が逆流して、リブ間の空気通路を通してレフィルの後端からインキ及び追従体が漏出するおそれがある。
【０００６】
【発明が解決しようとする課題】
本発明は前記従来の問題点を解決するものであって、筆記時のレフィル後端開口部からの十分な空気の取り込みが可能となり、しかも、レフィル交換時のレフィルの容易な取り外しができ、さらに、レフィルのリターン衝撃時の十分なインキ漏出防止が可能となるノック式ボールペンを提供しようとするものである。
【０００７】
【課題を解決するための手段】
〔１〕本発明は、ペン先３１と該ペン先３１を先端に備えたインキ収容管３２とからなるレフィル３を、後方付勢状態で前後移動可能に軸筒２内に収容し、出没機構を構成する回転カム部材４を前記インキ収容管３２の後端に当接させ、軸筒２後端のノック部８を前方へ押圧することにより、前記回転カム部材４を前方に移動させ且つ回転させ、軸筒２の先端孔２１からレフィル３のペン先３１を突出可能に構成したノック式ボールペン１であって、前記回転カム部材４の前面に、インキ収容管３２の後端開口部内に挿入される突出部５と、インキ収容管３２の後端に当接する当接部６とを設け、前記突出部５の外面に、インキ収容管３２の後端開口部の内周縁部に圧接する傾斜面状の圧接部５１を設け、前記圧接部５１より前方の突出部５の外面とインキ収容管３２の内面とを非接触にし、前記圧接部５１に切欠部５１ａを前後方向に設け、前記切欠部５１ａと連通する凹部６１を前記当接部６に設け、回転カム部材４をインキ収容管３２の後端に当接させた際、前記切欠部５１ａ及び前記凹部６１により、回転カム部材４とインキ収容管３２の後端部との間にインキ収容管３２の内部と外部とを連通させる空気通路９を形成したこと（請求項１）を要件とする。
【０００８】
切欠部５１ａによって、インキ収容管３２の後端開口部の内周縁部と回転カム部材４の突出部５の外面の圧接部５１との間に空気通路９が形成されることにより、突出部５の外面がインキ収容管３２の後端開口部の内周縁部に圧接されても、空気通路９が潰れて小さくなることがなく、軸筒２の後端開口部の内周縁部と突出部５の外面との間に、切欠部５１ａの大きさに相当する空気通路９を確実に形成することができる。それにより、インキ消費に伴う十分な量の空気を確実にインキ収容管３２内に取り込むことができる。
【０００９】
また、インキ収容管３２の後端開口部の内周縁部に、突出部５の外面の傾斜面状の圧接部５１が圧接し、且つ、前記圧接部５１よりも前方の突出部５の外面とインキ収容管３２の内面とが非接触である構成により、インキ収容管３２と突出部５との分離が容易となり、レフィル３の交換時、レフィル３を容易に取り外すことができる。
【００１０】
さらに、切欠部５１ａにより空気通路９を形成するため、リブとリブの間に空気通路９を設ける場合に比べ、空気通路９全体の開口量を小さくでき、ペン先没入時の衝撃によりインキが逆流したとしても、インキの漏出を十分に防止することが可能となる。
【００１１】
〔２〕前記請求項１のノック式ボールペン１において、インキ収容管３２の内部に、水性インキ３３と、該水性インキ３３の消費に伴い前進する高粘度流体よりなる追従体３４とを充填してなること（請求項２）が好ましい。
【００１２】
一般に水性インキ３３は油性インキに比べ粘度が低いため、水性インキ３３及び追従体３４をインキ収容管３２内に充填した場合、油性インキを充填した場合に比べ、ペン先没入時の衝撃により、水性インキ３３及び追従体３４が、逆流して、インキ収容管３２の後端開口部から外部に漏出し易いが、前記請求項１の構成により、前記漏出事故の発生を十分に抑えることができる。
【００１３】
【発明の実施の形態】
本発明の実施の形態を図面に従って説明する。
【００１４】
図１乃至図４に本発明の実施例を示す。
【００１５】
本実施例のノック式ボールペン１は、軸筒２と、該軸筒２内に収容されるレフィル３と、該レフィル３のペン先３１を軸筒２の先端孔２１より出没自在にさせる出没機構とを備える。
【００１６】
（レフィル）
前記レフィル３は、ペン先３１と、該ペン先３１が前端開口部に圧入固着されたインキ収容管３２と、該インキ収容管３２内に充填される水性インキ３３と、該水性インキ３３の後端に充填され且つ該水性インキ３３の消費に伴い前進する高粘度流体よりなる追従体３４とからなる。
【００１７】
（インキ収容管）
前記インキ収容管３２は、合成樹脂（例えは、ポリプロピレン）の押出成形より得られる両端に開口部を備えた円筒体である。前記インキ収容管３２の外面には、コイルスプリング係止用の突部３２ａが形成される。
【００１８】
（ペン先）
前記ペン先３１は、例えば、先端に回転可能にボールを抱持した金属製のボールペンチップのみからなる構成、または前記ボールペンチップの後部外面を保持した合成樹脂製のペン先ホルダーからなる構成のいずれであってもよい。
【００１９】
（出没機構）
前記出没機構は、回転カム機構を用いたノック式出没機構であり、軸筒２内に配置された円筒状のカム筒７と、該カム筒７のカム溝７１と係合し且つインキ収容管３２の後端と当接する回転カム部材４と、該回転カム部材４と係合し且つ軸筒２後端より突出するノック棒８と、軸筒２内に収容され且つレフィル３を後方へ付勢するコイルスプリング２２とからなる。また、本実施例のノック式出没機構は、ペン先突出操作及びペン先没入操作のいずれもが、ノック棒８を前方へ押圧する操作である。
【００２０】
（カム筒）
図１及び図４（ｃ）に示すように、カム筒７は、その内面に、回転カム部材４が係合するカム溝７１を備える。前記カム溝７１は、前方へ突出する鋸歯状の複数のカム歯の間に形成される。また、前記カム筒７の後端には、クリップ７２が一体または別部材の取り付けにより設けられる。
【００２１】
（回転カム部材）
図２、図３及び図４（ｂ）に示すように、回転カム部材４は、その外面に長手方向に延びる３本の突条４１を備え、該突条４１が、カム筒７のカム溝７１と係合される。
【００２２】
また、前記回転カム部材４は、インキ収容管３２の後端と当接する当接部６と、該当接部６よりも前方に突出され且つインキ収容管３２の後端開口部内に挿入される先細状の突出部５とを備える。前記突出部５は、傾斜面状の圧接部５１（具体的には円錐面）を備え、該圧接部５１がインキ収容管３２の後端開口部の内周縁部に圧接する。前記圧接部５１の前方の突出部５の外面は、インキ収容管３２の内面と非接触である。即ち、インキ収容管３２の後端と回転カム部材４とが非嵌合であるため、レフィル３を交換する際、インキ収容管３２と回転カム部材４とを容易に分離することができる。
【００２３】
前記傾斜面状の圧接部５１には、一本の平面状の切欠部５１ａが前後方向に設けられる。さらに、前記当接部６には、前記切欠部５１ａと連通し且つ径方向外方に開口する凹部６１が設けられる。それにより、インキ収容管３２の後端開口部の内周縁部と回転カム部材４の突出部５外面との間、及びインキ収容管３２の後端面と回転カム部材４の当接部６との間に、一本の空気通路９が形成される。前記切欠部５１ａとインキ収容管３２の後端開口部の内周縁部との間に形成される空気通路９は、横断面形状が半月状であり、前記空気通路９の横断面の径方向の幅は、空気流通に必要最低限の０．１ｍｍ〜０．２ｍｍに設定されている。それにより、インキ収容管３２の後端開口部の内面と突出部５の外面との間の空気通路９の開口量を十分に小さくでき、ペン先没入時のリターン衝撃により水性インキ３３及び追従体３４が逆流したとしても、水性インキ３３及び追従体３４の漏出を十分に防止することが可能となる。
【００２４】
また、前記切欠部５１ａにより、圧接部５１とインキ収容管３２の後端開口部の内周縁部との間に空気通路９が形成されることから、切欠部５１ａの大きさに相当する空気通路９が確実に得られ、インキ消費に伴う十分な量の空気を確実にインキ収容管３２内に取り込むことができる。
【００２５】
また、前記回転カム部材４の突条４１の前端には、前記当接部６よりも前方に突出する突起４１ａが形成される。前記突起４１ａの内側には、傾斜面が形成され、該傾斜面がインキ収容管３２の後端部の外周縁部と圧接される。即ち、本実施例では、インキ収容管３２の後端開口部の内周縁部に、回転カム部材４の突出部５外面の傾斜面状の圧接部５１が圧接されると同時に、インキ収容管３２の後端部の外周縁部に、回転カム部材４の突条４１の突起４１ａ内側の傾斜面が圧接される。それにより、インキ収容管３２の後端と回転カム部材４との安定した当接が可能となる。
【００２６】
尚、前記回転カム部材４の傾斜面状の圧接部５１は、外径が前方に向かうに従い小さくなるものであれば、円錐面の他に、凸曲面または凹曲面であってもよい。また、前記切欠部５１ａの形状は、平面状の他に、凹状であってもよい。前記切欠部５１ａにより形成される空気通路９の横断面形状は、半月状の他、三日月状、帯状、扇状、略四角形状のいずれであってもよい。
【００２７】
（ノック棒）
図４（ａ）に示すように、ノック棒８は、その前端部に、カム筒７のカム溝７１内を摺動するガイド突条８１と、回転カム部材４の突条４１の後端と係合するカム歯８２とを備える。
【００２８】
【発明の効果】
請求項１により、筆記時のレフィルの後端開口部からの十分な空気の取り込みが可能となり、しかも、レフィル交換時のレフィルの容易な取り外しができ、さらに、レフィルのリターン衝撃時の十分なインキ漏出防止が可能となる。
【００２９】
請求項２により、水性インキ及び追従体が、逆流したとしても、インキ収容管の後端開口部から外部に漏出することを十分に抑えることができる。
【図面の簡単な説明】
【図１】本発明の実施例の縦断面図である。
【図２】図１の回転カム部材の斜視図である。
【図３】図１の要部拡大縦断面図である。
【図４】図１の出没機構を示す分解図である。
【符号の説明】
１　ノック式ボールペン
２　軸筒
２１　先端孔
２２　コイルスプリング
３　レフィル
３１　ペン先
３２　インキ収容管
３２ａ　突部
３３　水性インキ
３４　追従体
４　回転カム部材
４１　突条
４１ａ　突起
５　突出部
５１　圧接部
５１ａ　切欠部
６　当接部
６１　凹部
７　カム筒
７１　カム溝
７２　クリップ
８　ノック棒（ノック部）
８１　ガイド突条
８２　カム歯
９　空気通路
【図１】
2004017397.tif 000003
【図２】
2004017397.tif 000004
【図３】
2004017397.tif 000005
【図４】
2004017397.tif 000006